(57)【特許請求の範囲】
【請求項１】
一端に第１挟み部、他端に第１指掛部、略中央部に第１回転中心軸線、を備える第１アームと、
一端に第２挟み部、他端に第２指掛部、略中央部に第２回転中心軸線、を備える第２アームと、
前記第１挟み部及び前記第２挟み部の対が閉じる方向に付勢する付勢部材と、
前記第１挟み部及び前記第２挟み部の対が閉じた状態を維持できる錠機構と、
を備え、
前記錠機構は、一対となる鍵によって外筒の内側で前記第１回転中心軸線と同心で内筒が回転可能となるシリンダ錠であり、
前記第１アーム及び前記第２アームはそれぞれ前記内筒及び前記外筒に固定され、
前記錠機構が解錠状態の際に、前記第１指掛部及び前記第２指掛部の対が近づくように握ることで前記第１挟み部及び前記第２挟み部の対が開く、
挟持具。
【請求項２】
一端に第１挟み部、他端に第１指掛部、略中央部に第１回転中心軸線、を備える第１アームと、
一端に第２挟み部、他端に第２指掛部、略中央部に第２回転中心軸線、を備える第２アームと、
前記第１挟み部及び前記第２挟み部の対が閉じる方向に付勢する付勢部材と、
前記第１挟み部及び前記第２挟み部の対が閉じた状態を維持できる錠機構と、
を備え、
前記錠機構は、
一対となる鍵によって外筒の内側で内筒が回転可能となるシリンダ錠と、
前記シリンダ錠を通る前記第１回転中心軸線と同心で回転可能である係止部と、
前記外筒に対する前記内筒の回転角度に応じて前記係止部を少なくとも一方向に回転不能に係止可能な係止片と、
を備え、
前記第１アーム及び前記第２アームはそれぞれ前記係止部及び前記外筒に固定され、
前記一方向とは前記第１挟み部及び前記第２挟み部の対が開く方向であり、
前記錠機構が解錠状態の際に、前記第１指掛部及び前記第２指掛部の対が近づくように握ることで前記第１挟み部及び前記第２挟み部の対が開く、
挟持具。
【発明の詳細な説明】
【技術分野】
【０００１】
本発明は、付勢部材の力で挟み部が閉じられ、指掛部を握ることで挟み部が開かれる挟持具に関する。
【背景技術】
【０００２】
挟持具においては、一対のアームの一端に挟み部、他端に指掛部、略中央部に指掛部を握ることで挟み部が開くように回転中心軸線が設けられ、握ることをやめると付勢部材によって挟み部が閉じられる構造のものが多い。
【０００３】
また、施錠装置においては、ワイヤーを被施錠部材に通してから係止するものや、アルファベットのユーの字状の部材に被施錠部材を通してから係止されるもの等がある。これらの施錠装置は、施錠を片手で簡便に行うことができるとはいい難いが、自転車に取り付けられる馬蹄形錠や、特許文献１のように自転車に取り付けてロッドによって遠隔操作するものや、特許文献２のように施錠の電動化を前提としたようなものなど、施錠を片手で簡便に行う為のアイデアがある。
【０００４】
【特許文献１】実開平５−０８６７７９号公報
【特許文献２】特開２００１−１７１５７２号公報
【発明の開示】
【発明が解決しようとする課題】
【０００５】
挟持具においては、悪意ある第三者によって被挟持部材や挟持具が盗難にあいにくいことが望まれる。しかし、盗難にあいにくいようにされた複雑な施錠手順ではなく、簡単な施錠手順が望まれる。
【０００６】
例えば、施錠を片手で簡便に行うことができることが望まれるが、構造が複雑になったり、予め自転車などに取り付ける手間が発生したり、施錠方法の自由度を奪うことになったりしないことも同時に望まれる。
【０００７】
本発明の実施形態図等を用いて以下に説明するが、これは本発明の内容をより把握しやすいようにする為で、添付の特許請求の範囲を縮小するものではない。
また、各図に記載の符号は数字のみ、あるいは数字とアルファベットの小文字で構成されているが、数字が同一であるということは、互いに対応している部分であることを表す。よって、数字のみの符号は、数字が同一であり数字とアルファベットの小文字で構成される符号を含む。
【課題を解決するための手段】
【０００８】
発明１に係る挟持具は、例えば図１及び図２で説明すると、
一端に挟み部１１、他端に指掛部１５、略中央部に回転中心軸線５、を備えるアーム１と、
一端に挟み部１２、他端に指掛部１６、略中央部に回転中心軸線６、を備えるアーム２と、
挟み部１１及び挟み部１２の対が閉じる方向に付勢する付勢部材９と、
挟み部１１及び挟み部１２の対が閉じた状態を維持できる錠機構と、
を備え、
図１のように前記錠機構は、一対となる鍵３０によって外筒２５の内側で回転中心軸線５と同心で内筒２４が回転可能となるシリンダ錠であり、
アーム１及びアーム２はそれぞれ内筒２４及び外筒２５に固定され、
前記錠機構が解錠状態の際に、指掛部１５及び指掛部１６の対が近づくように握ることで挟み部１１及び挟み部１２の対が開く、
挟持具である。
【０００９】
発明２に係る挟持具は、例えば図２と、図３から図６のいずれかのように、
一端に挟み部１１、他端に指掛部１５、略中央部に回転中心軸線５、を備えるアーム１と、
一端に挟み部１２、他端に指掛部１６、略中央部に回転中心軸線６、を備えるアーム２と、
挟み部１１及び挟み部１２の対が閉じる方向に付勢する付勢部材９と、
挟み部１１及び挟み部１２の対が閉じた状態を維持できる錠機構と、
を備え、
前記錠機構は、
一対となる鍵３０によって外筒２５の内側で内筒２４が回転可能となるシリンダ錠と、
前記シリンダ錠を通る回転中心軸線５と同心で回転可能である係止部３１と、
外筒２５に対する内筒２４の回転角度に応じて係止部３１を少なくとも一方向に回転不能に係止可能な係止片３２と、
を備え、
アーム１及びアーム２はそれぞれ係止部３１及び外筒２５に固定され、
前記一方向とは挟み部１１及び挟み部１２の対が開く方向であり、
前記錠機構が解錠状態の際に、指掛部１５及び指掛部１６の対が近づくように握ることで挟み部１１及び挟み部１２の対が開く、
挟持具である。
【発明の効果】
【００１０】
以上のように本発明によると、指掛部１５及び指掛部１６を一握りするだけで、挟み部１１及び挟み部１２の対が開き、握るのをやめるだけで閉じるという簡便さを維持しながら、被挟持部材や本発明の挟持具が盗難にあいにくく、シンプルな構造で、施錠方法の自由度も大変高い挟持具を得ることができる。
【００１１】
さらに発明１によると、本発明の効果に加えて、内筒２４を回転中心軸線５の軸として使用可能になり、構造の単純化によるコストダウンやデザイン性、防塵構造による高耐久性等がえられる。また挟み部１１及び挟み部１２のサイズを比較的小さくできるので、自転車の車輪のスポークの隙間にアーム１及びアーム２を通して施錠する場合などは、より簡便な施錠装置をもった挟持具となる。
【００１２】
さらに発明２によると、本発明の効果に加えて、外筒２５に対して内筒２４を回転可能にするか否かを決める、シリンダ錠内の機構の強度にあまり依存せずに、挟み部１１及び挟み部１２の対をこじ開けられにくい施錠装置をもった挟持具を得ることができる。
【発明を実施するための最良の形態】
【００１３】
〔第１実施形態〕
図２及び図３において、ねじったりして無理矢理挟み部１１eと挟み部１２eの対をこじ開けることが困難になるように、挟み部１１eと挟み部１２eの対に凹凸嵌合形状２２eが設けられるアーム１eとアーム２eは、鋳鉄製でリング部の切削加工後、表面をビニールコーティングされている。
また、シリンダ錠はピンをタンブラにしたピンシリンダタイプであり、鋳鉄製の外筒２５eにはアーム２eのリング部が圧入嵌合されており、アーム１eのリング部が係止部３１eに圧入嵌合されている。係止部３１eは鋳鉄製で、外筒２５eに回転可能に挿入されてから回転中心軸線５e方向に抜き取れないように鉄製のリング３６eが外筒２５eに圧入嵌合される。内筒２４eと一体に成型されたカム面３３eによって揺動する係止片３２eは鋼鉄板を打ち抜き加工したもので、係止片３２eの揺動の中心軸は外筒２５eと一体に成型されている。
また、外筒２５eに挿入された付勢部材９eはバネ用ステンレス製のねじりコイルバネである。
【００１４】
また、ワイヤー２６eを格子戸等に通してからアーム１e又はアーム２eを輪状部２８eに通して施錠するなど、より施錠方法の自由度が高い施錠装置を得る為に、ワイヤー２６eの一端は外筒２５eの底側にかしめられている。ワイヤー２６eは複よりのステンレス線製ワイヤーにビニールチューブを被せたもので、ワイヤー２６eの輪状部２８eはステンレス製のかしめリング２７eによって形成されている。
【００１５】
また、ワイヤー２６eの両端に１つずつ同様の挟持具を設けて、２つの被施錠部材を連結することが容易となるようにされても良い。
【００１６】
〔第２実施形態〕
第２実施形態の挟持具は、第１実施形態に記載の挟持具において、図４のように内筒２４fと一体に成型されたカム面３３fによって揺動する係止片３２fは、係止部３１fを係止する方向にはバネによる付勢で揺動し、係止が外れる方向にはカム面３３fが作用するように変更したものである。
【００１７】
〔第３実施形態〕
第３実施形態の挟持具は、第１実施形態に記載の挟持具において、図５のように内筒２４gと一体に成型されたカム面３３gによって揺動する係止片３２gは、係止部３１gを係止する方向にはカム面３３gが作用し、係止が外れる方向にはバネによる付勢で揺動するように変更したものである。
【００１８】
〔第４実施形態〕
第４実施形態の挟持具は、第１実施形態に記載の挟持具において、図６のように内筒２４hと一体に成型されたカム面３３hによって、係止片３２hは外筒２５hと一体に成型されたガイドに沿って直線運動する。また、係止部３１hを係止する方向にはカム面３３hが作用し、係止が外れる方向にはバネによる付勢で戻るように変更したものである。
【図面の簡単な説明】
【００１９】
【図１】発明１の動作を２段階で表す例図
【図２】発明２の実施例図
【図３】発明２の動作を２段階で表す例図、その１
【図４】発明２の動作を２段階で表す例図、その２
【図５】発明２の動作を２段階で表す例図、その３
【図６】発明２の動作を２段階で表す例図、その４
【符号の説明】
【００２０】
１,２.                                 アーム
５,６.                                 回転中心軸線
９.                                      付勢部材
１１,１２.                          挟み部
１５,１６.                          指掛部
２２.                                  凹凸嵌合形状
２３.                                  鍵穴
２４.                                  内筒
２５.                                  外筒
２６.                                  ワイヤー
２７.                                  かしめリング
２８.                                  輪状部
３０.                                  鍵
３１.                                  係止部
３２.                                  係止片
３３.                                  カム面
３６.                                  リング
【要約】      （修正有）【課題】挟持具においては、悪意ある第三者によって被挟持部材や挟持具が盗難にあいにくいことが望まれる。しかし、盗難にあいにくいようにされた複雑な施錠手順ではなく、簡単な施錠手順が望まれる。例えば、施錠を片手で簡便に行うことができることが望まれるが、構造が複雑になったり、予め自転車などに取り付ける手間が発生したり、施錠方法の自由度を奪うことになったりしないことも同時に望まれる。【解決手段】挟持具にスマートに錠機構を内蔵する。【選択図】 図２【図１】
0003958779.tif 000002
【図２】
0003958779.tif 000003
【図３】
0003958779.tif 000004
【図４】
0003958779.tif 000005
【図５】
0003958779.tif 000006
【図６】
0003958779.tif 000007